(57)【要約】      （修正有）【課題】インスタント写真の本体部分と、その本体部分の上下に配置する上部と下部とを有し、インスタント写真を収納してもかさばらない写真用台紙を提供する。【解決手段】表面１２と裏面１３と、を具備し、表面１２に、インスタント写真の本体部分と、その本体部分の上下に配置する上部と下部とを有するインスタント写真を収納するための第１写真収納部２０と、裏面１３に、インスタント写真の本体部分と、その本体部分の上下に配置する上部と下部とを有するインスタント写真を収納するための第２写真収納部３０と、を有し、第１写真収納部２０と、第２写真収納部３０と、は、互いに背中合わせに配置するときに、断面視上下方向にずれて配置されている写真用台紙１０である。【選択図】図３
0003220263.tif 000002
【実用新案登録請求の範囲】
【請求項１】
表面と裏面と、を具備し、
前記表面に、インスタント写真の本体部分と、その本体部分の上下に配置する上部と下部とを有する前記インスタント写真を収納するための第１写真収納部と、
前記裏面に、インスタント写真の本体部分と、その本体部分の上下に配置する上部と下部とを有する前記インスタント写真を収納するための第２写真収納部と、を有し、
前記第１写真収納部と、前記第２写真収納部と、は、互いに背中合わせに配置するときに、断面視上下方向にずれて配置されている写真用台紙。
【請求項２】
前記表面に前記第１写真収納部を複数有し、
前記裏面に前記第２写真収納部を複数有する請求項１記載の写真用台紙。
【請求項３】
前記第１写真収納部は、
前記インスタント写真の上部を配置するための第１凹部と、
前記インスタント写真の本体部分を配置するための第２凹部と、
前記インスタント写真の下部を配置するための第３凹部と、を有し、
前記第２写真収納部は、
前記インスタント写真の上部を配置するための第４凹部と、
前記インスタント写真の本体部分を配置するための第５凹部と、
前記インスタント写真の下部を配置するための第６凹部と、を有し、
前記第１凹部は、前記第２凹部の上方に配置し、
前記第３凹部は、前記第２凹部の下方に配置し、
前記第４凹部は、前記第５凹部の上方に配置し、
前記第６凹部は、前記第５凹部の下方に配置した請求項１又は２記載の写真用台紙。
【請求項４】
前記第１凹部の背面に前記第５凹部を配置し、
前記第６凹部の正面に前記第２凹部を配置した請求項３記載の写真用台紙。
【請求項５】
前記表面は、２枚積層された２層のシートと、を具備し、前記裏面は、２枚積層された２層のシート、とを具備し、
前記第１凹部と、前記第３凹部と、の深さは、前記２層のシートの厚みと同一であり、前記第２凹部の深さは、前記２層の内うち１層の厚みと同一であり、
前記第４凹部と、前記第６凹部と、の深さは、前記２層のシートの厚みと同一であり、前記第５凹部の深さは、前記２層の内うち１層の厚みと同一である請求項４記載の写真用台紙。
【考案の詳細な説明】
【技術分野】
【０００１】
本考案は、写真を貼り付けるための写真用台紙に関するものである。
【背景技術】
【０００２】
写真を張るための台紙に関しては、いわゆるアルバムが知られている。このアルバムは、写真を貼り付けるための台紙部分に粘着層と、その粘着層を覆う再剥離可能なフィルムを有するものである。この粘着層に写真を貼り付け、再剥離可能なフィルムで挟み込むことで、アルバムとして使用することができる。
【０００３】
また、特開２０１０−２２８４１０号公報に開示されているフォトブックにおいては、複数の写真を重ねるように整理することができる。特に上記公報の図３において、印画物を多数枚重ねて、該印画物の一端を綴じたフォトブックが開示されている。
【０００４】
しかしながら、近年流行しているいわゆるインスタント写真は、その特性上、その風景や人物を写した写真本体の上下の部分に膨らんだ構成を有するために、上記フォトブックに貼り付けるとかさばることになる。特に、特開Ｈ０１−１２３２３１号公報に開示されているインスタント写真は、その写真本体の上下の部分に膨らんだ構成にラップ剤と現像液ポッドを有するためにその傾向が顕著である。
【先行技術文献】
【特許文献】
【０００５】
【特許文献１】特開２０１０−２２８４１０号公報
【特許文献２】特開Ｈ０１−１２３２３１号公報
【考案の開示】
【考案が解決しようとする課題】
【０００６】
本考案は前記の点に着目してなされたもので、その課題は、インスタント写真の本体部分と、その本体部分の上下に配置する上部と下部とを有するそのインスタント写真を収納してもかさばらない写真用台紙を提供することである。
【課題を解決するための手段】
【０００７】
前記の課題を解決する第１観点の写真用台紙は、表面と裏面と、を具備し、表面に、インスタント写真の本体部分と、その本体部分の上下に配置する上部と下部とを有するインスタント写真を収納するための第１写真収納部と、裏面に、インスタント写真の本体部分と、その本体部分の上下に配置する上部と下部とを有するインスタント写真を収納するための第２写真収納部と、を有し、第１写真収納部と、第２写真収納部と、は、互いに背中合わせに配置するときに、断面視上下方向にずれて配置されているものである。
配置されているものである。
【０００８】
前記の課題を解決する第２観点の写真用台紙は、第１観点において、表面に第１写真収納部を複数有し、裏面に前記第２写真収納部を複数有するというものである。
【０００９】
前記の課題を解決する第３観点の写真用台紙は、第１観点又は第２観点において、表面写真収納は、インスタント写真の上部を配置するための第１凹部と、インスタント写真の本体部分を配置するための第２凹部と、インスタント写真の下部を配置するための第３凹部と、を有し、第２写真収納部は、インスタント写真の上部を配置するための第４凹部と、インスタント写真の本体部分を配置するための第５凹部と、インスタント写真の下部を配置するための第６凹部と、を有し、第１凹部は、前記第２凹部の上方に配置し、第３凹部は、第２凹部の下方に配置し、第４凹部は、第５凹部の上方に配置し、第６凹部は、前記第５凹部の下方に配置したというものである。
【００１０】
前記の課題を解決する第４観点の写真用台紙は、第３観点において、第１凹部の背面に第５凹部を配置し、第６凹部の正面に第２凹部を配置したというものである。
【００１１】
前記の課題を解決する第５観点の写真用台紙は、第４観点において、表面は、２枚積層された２層のシートと、を具備し、裏面は、２枚積層された２層のシート、とを具備し、第１凹部と、前記第３凹部と、の深さは、前記２層のシートの厚みと同一であり、第２凹部の深さは、前記２層の内うち１層の厚みと同一であり、第４凹部と、第６凹部と、の深さは、２層のシートの厚みと同一であり、第５凹部の深さは、２層の内うち１層の厚みと同一であるというものである。
【考案の効果】
【００１２】
本考案は以上のように構成され、かつ、作用するものであるから、インスタント写真の本体部分と、その本体部分の上下に配置する上部と下部とを有するそのインスタント写真を収納してもかさばらない写真用台紙を提供することができる。
【図面の簡単な説明】
【００１３】
【図１】写真用台紙の正面図である。
【図２】写真用台紙の背面図である。
【図３】写真用台紙の断面図である。
【図４】Ａは、インスタント写真の正面図である。Ｂは、インスタント写真の断面図である。
【図５】Ａは、他のインスタント写真の正面図である。Ｂは、他のインスタント写真の断面図である。
【図６】Ａは、写真用台紙にインスタント写真を配置した状態の正面図である。Ｂは、写真用台紙に他のインスタント写真を配置した状態の背面図である
【図７】図６ＡのVＩＩ―VＩＩ線断面図である。
【図８】他の写真用台紙正面図である。
【図９】他の写真用台紙の背面図である。
【図１０】図８のＸ―Ｘ線断面図である。
【図１１】図８のＸＩ―ＸＩ線断面図である。
【図１２】Ａは、他の写真用台紙正面図に、インスタント写真や、他のインスタント写真を配置した状態の正面図である。Ｂは、他の写真用台紙正面図に、インスタント写真や、他のインスタント写真を配置した状態の背面図である。
【図１３】図１２のＸＩＩＩ―ＸＩＩＩ線断面図である。
【図１４】Ａは、写真用台紙を複数積み重ねアルバムとした状態の斜視図である。Ｂは、他の写真用台紙を複数積み重ねアルバムとした状態の斜視図である。
【考案を実施するための最良の形態】
【００１４】
以下、図示の実施形態を参照して説明する。まず、はじめに、写真用台紙１０に収納するインスタント写真１００について簡単に説明する。インスタント写真１００は、その名称のとおり、撮影するとほぼ同時に現像されるもので、図示しないインスタント写真専用のカメラで撮影すると同時に現像され、そのカメラから排出されるものである。インスタント写真１００は、風景や人物を写し取った画像を現した写真本体１１０と、その写真本体１１０上下の部分である上部１２０と下部１３０とは、膨らんだ構成である（図４参照）。すなわち上部１２０と下部１３０のいずれかにラップ剤と現像液ポッドを有する構成である。本実施例の写真用台紙１０はこのようなインスタント写真１００を、かさばらずに収納することができるものである。
【００１５】
また、他のインスタント写真２００は、その幅が、インスタント写真１００に比べ狭い形状を呈しているが、上下方向の位置については、インスタント写真１００と同様である。他のインスタント写真２００も同様に、図示しないインスタント写真専用のカメラで撮影すると同時に現像され、そのカメラから排出されるものであリ、この他のインスタント写真２００は、風景や人物を写し取った画像を現した写真本体２１０と、その写真本体２１０上下の部分である上部２２０と下部３３０とは、膨らんだ構成である（図５参照）。
【００１６】
上述の本実施例の写真用台紙１０は、表面１２と裏面１３と、を具備するものである。
表面１２にインスタント写真１００を収納するための第１写真収納部２０を有する。また、裏面１３にインスタント写真１００を収納するための第２写真収納部３０を有する。
【００１７】
第１写真収納部２０は、全体として矩形状を呈し、インスタント写真１００を配置したときに、かさばることがなく、写真用台紙１０に配置したインスタント写真１００が、その表面１２から突出しないように所定の深さを有するものである。その所定の深さとは、インスタント写真１００においてもっとも厚い部分と同一の深さか、又はそれ以上であることが好ましい。
【００１８】
第１写真収納部２０は、インスタント写真１００の上部１２０を配置するための第１凹部２１と、インスタント写真１００の本体部分１１０を配置するための第２凹部２２と、そのインスタント写真１００の下部１３０を配置するための第３凹部２３と、を有するものである。第１凹部２１と、第２凹部２２と、第３凹部２３と、は共に、文字通り凹状を呈するものである。このように、第１凹部２１は、第２凹部２２の上方に配置し、第３凹部２３は、第２凹部２２の下方に配置されている。
【００１９】
上述のとおり、第１凹部２１と、第２凹部２２と、第３凹部２３と、はそれぞれ、インスタント写真１００における上部１２０と写真本体１１０と、下部１３０とを配置するためのものであり、インスタント写真１００における上部１２０と下部１３０とは、写真本体１１０に比べ、膨らんでいる。従って、第１凹部２１と、第３凹部２３とは、第２凹部２２とに比べ深く構成されている。
【００２０】
第２写真収納部３０は、第１写真収納部２０と同様の構成であるが、写真用台紙１０の表面１２と裏面１３にそれぞれ、ずらして配置しているため、後述するようにそれらの位置関係を説明するためにあえて説明をする。第２写真収納部３０は、インスタント写真１００の上部１２０を配置するための第４凹部３１と、インスタント写真１００の本体部分１１０を配置するための第５凹部３２と、そのインスタント写真１００の下部１３０を配置するための第６凹部３３と、を有するものである。第４凹部３１と、第５凹部３２と、第６凹部３３と、は共に、文字通り凹状を呈するものである。このように、第４凹部３１は、第５凹部３２の上方に配置し、第６凹部３３は、第５凹部３２の下方に配置されている。
【００２１】
上述のとおり、第４凹部３１と、第５凹部３２と、第６凹部３３と、はそれぞれ、インスタント写真１００における上部１２０と写真本体１１０と、下部１３０とを配置するためのものであり、インスタント写真１００における上部１２０と下部１３０とは、写真本体１１０に比べ、膨らんでいる。従って、第４凹部３１と、第６凹部３３とは、第５凹部３２とに比べ深く構成されている。
【００２２】
上記のとおり写真用台紙１０は、表面１２と裏面１３と、を具備し、その表面１２にインスタント写真１００を収納するための第１写真収納部２０を有するとともに裏面１３にインスタント写真１００を収納するための第２写真収納部３０を有するものであるが、第１写真収納部２０と第２写真収納部３０とを互いに背中合わせに配置するときに、第１写真収納部２０と第２写真収納部３０とが互いに断面視上下方向にずれて配置されている。すなわち、断面視上下方向にずれて配置されているとは、写真用台紙１０の表面１２の背面である裏面１３に配置した第２写真収納部３０とその裏面１３の正面である表面１２に配置した第１写真収納部２０が互いに一致しないことをいい、例えば、第１写真収納部２０における第３凹部２３と背中合わせに配置されるものは、第２写真収納部３０における第５凹部３２が対応するように配置されていることをいう。
【００２３】
このように、第１写真収納部２０における第２凹部２２より深い第１凹部２１と、第３凹部２３と、第２写真収納部３０における第５凹部３２より深い第４凹部３１と、第６凹部３３とをそれぞれ、背中合わせに配置しないという構成である。よって、第２凹部２２より深い第１凹部２１と、第３凹部２３と、第５凹部３２より深い第４凹部３１と、第６凹部３３と、がそれぞれ断面視上下方向にずれて配置されているためにそれらが背中合わせに配置されることがないために、例えば、第１凹部２１と、第３凹部２３のいずれかが、第４凹部３１または第６凹部３３と背中合わせに配置されることがないのでそれらが貫通孔となることがなく、後述するように表面１２が２層の第１シート１２ａと第２シート１２ｂと、裏面１３が２層の第３シート１３ａと第４シート１３ｂと、計４層のシートで写真用台紙１０を構成することができる（図４参照）。
【００２４】
このとき、写真用台紙１０の裏面１３の正面である表面１２に第１写真収納部２０とその表面１２の裏面１３の正面に配置した第１写真収納部２０が互いに一致せず、例えば、第２写真収納部３０における第４凹部３１と背中合わせに配置されるものは、第１写真収納部２０における第２凹部２２が対応するように配置されている。
【００２５】
このように、上記のとおり、第２凹部２２に比べ深く構成されている第１凹部２１と、第３凹部２３と、第５凹部３２に比べ深く構成されている第４凹部３１と、第６凹部３３と、が互いに背中合わせに配置されないように断面視上下方向にずらして構成されている（図４参照）。
【００２６】
従って本実施例における写真用台紙１０は、表面１２が２層の第１シート１２ａと第２シート１２ｂと、裏面１３が２層の第３シート１３ａと第４シート１３ｂと、計４層のシートで構成することができる（図４参照）。なお、写真用台紙１０を構成する第１シート１２ａと，第２シート１２ｂと、第３シート１３ａと、第４シート１３ｂとは、それぞれ板紙のみなならず合成樹脂製のシートを含むものである。
【００２７】
また、表面１２が２層の第１シート１２ａと第２シート１２ｂのうち表面１２において外部に露出した面を構成する第１シート１２ａは、第１写真収納部２０を有すると共に、その第１シート１２ａに貼り付けられている第２シート１２ｂは、第１凹部２１と、第３凹部２３とを有する。すなわち第１シート１２ａは、第１写真収納部２０を構成する矩形状の穴を有すると共に、第２シート１２ｂは、第１凹部２１と、第３凹部２３を構成する矩形状の穴を有する。従って第２凹部２２は、第１シート１２ａにあけられた第１写真収納部２０である穴の中に位置し、その第２凹部２２は第２シート１２ｂである。
【００２８】
また、第１凹部２１と、第３凹部２３とは、第１シート１２ａと第２シート１２ｂとを貫通する孔である。もっとも第２シート１２ｂは、第４シート１３ｂに接しているために、第１凹部２１と、第３凹部２３は、第４シート１３ｂである。従って、その表面１２は、２枚積層された２層のシートである第１シート１２ａと第２シート１２ｂと、を具備し、その第１凹部２１と、第３凹部２３と、の深さは、その２層のシートである第１シート１２ａと第２シート１２ｂとの厚みと同一であり、第２凹部２２の深さは、前記２層の内うち１層の第１シート１２ａの厚みと同一である。
【００２９】
同様に、裏面１３も２層の第３シート１３ａと第４シート１３ｂのうち裏面１３において外部に露出した面を構成する第３シート１３ａは、第２写真収納部３０を有すると共に、その第３シート１３ａに貼り付けられている第４シート１３ｂは、第４凹部３１と、第６凹部３３とを有する。すなわち第３シート１３ａは、第２写真収納部３０を構成する矩形状の穴を有すると共に、第４シート１３ｂは、第４凹部３１と、第６凹部３３を構成する矩形状の穴を有する。従って第５凹部３２は、第３シート１３ａにあけられた第２写真収納部３０である穴の中に位置し、その第５凹部３２は第４シート１３ｂである。
【００３０】
また、第３凹部３１と、第４凹部４３とは、第３シート１３ａと第４シート１３ｂとを貫通する孔である。もっとも第４シート１３ｂは、第２シート１２ｂに接しているために、第４凹部３１と、第６凹部３３は、第２シート１２ｂである。従って、その裏面１３は、２枚積層された２層のシートである第３シート１３ａと第４シート１３ｂと、を具備し、その第４凹部３１と、第６凹部３３と、の深さは、その２層のシートである第３シート１３ａと第４シート１３ｂとの厚みと同一であり、第５凹部３２の深さは、前記２層の内うち１層の第１シート１２ａの厚みと同一である。
【００３１】
このように、第１写真収納部２０において、第２凹部２２と比較して深い凹部である第１凹部２１と、第３凹部２３と、また、第２写真収納部３０において、第４凹部３１と比較して深い凹部である第４凹部３１と、第６凹部３３と、を互いに断面視上下方向にずれた状態で表裏に配置するため、それらの位置が一致しない構成であり、上記のとおり写真用台紙１０は、表面１２が２層の第１シート１２ａと第２シート１２ｂと、裏面１３が２層の第３シート１３ａと第４シート１３ｂと、計４層のシートで構成している。従って、第１凹部２１および第３凹部２３と、第４凹部３１とおよび第６凹部３３と、の背中合わせの位置が互いに一致せず、断面視上下方向にずれた位置に配置しているので、それらが貫通孔とはならず、その写真用台紙１０は４層のシートで構成することができる。
【００３２】
また、第１写真収納部２０において、インスタント写真１００を配置した場合において、そのインスタント写真１００と係合するための写真係合部２９、２９を有している。これは、第２シート１２ｂに切り欠きとして構成することで、写真係合部２９、２９としている。第２写真収納部３０においても同様に、そのインスタント写真１００を係合するための写真係合部３９、３９を有している。これは、第４シート１３ｂに切り欠きとして構成することで、写真係合部３９、３９としている。なお、他のインスタント写真２００の場合も同様である。
【００３３】
インスタント写真１００を、第１写真収納部２０に配置する。このとき画像を現した写真本体１１０は、第２凹部２２に配置され、上部１２０は、第１凹部２１に配置され、下部１３０は、第３凹部２３に、配置される。上記のとおり、上部１２０と下部１３０は、写真本体１１０よりも膨らんだ構成であるので、第２凹部２２よりも深い凹部である第１凹部２１と、第３凹部２３とは、この上部１２０と下部１３０とを充分に収納することができ、表面１２から突出しないというものである。なお、他のインスタント写真２００の場合も同様である。
【００３４】
同様に、インスタント写真１００を、第２写真収納部３０に配置する。このとき画像を現した写真本体１１０は、第５凹部３２に配置され、上部１２０は、第４凹部３１に配置され、下部１３０は、第６凹部３３に、配置される。上記のとおり、上部１２０と下部１３０は、写真本体１１０よりも膨らんだ構成であるので、第５凹部３２よりも深い凹部である第４凹部３１と、第６凹部３３とは、この上部１２０と下部１３０とを充分に収納することができ、裏面１３から突出しないというものである。なお、他のインスタント写真２００の場合も同様である。
【００３５】
写真用台紙１０は、多数重ねれば１冊のアルバムとすることができる。この場合、上記のとおり、表面１２と裏面１３に配置されたインスタント写真１００が突出しないので、多数の写真用台紙１０を重ねても、かさばることのないアルバム５０とすることができる。
【００３６】
また他の実施例である写真用台紙１５は、表面１６と裏面１７とを有し、表面１６が２層の第１シート１６ａと第２シート１６ｂと、裏面１７が２層の第３シート１７ａと第４シート１７ｂと、計４層のシートで構成することができる。なお、写真用台紙１５を構成する２層の第１シート１６ａと第２シート１６ｂと、第３シート１７ａと第４シート１７ｂとは、それぞれ板紙のみなならず合成樹脂製のシートを含むものである。
【００３７】
上述の写真用台紙１５の表面１６と裏面１７のそれぞれに、上述のインスタント写真１００を収納するための第１写真収納部２０と、第２写真収納部３０とを有する。第１写真収納部２０と、第２写真収納部３０との構成はすでに説明したとおりである。したがってその説明は省略する。
【００３８】
表面１６に配置した複数の第１写真収納部２０と背中合わせに配置した裏面１７における複数の第２写真収納部３０とは上記のとおりそれぞれ位置が断面視上下方向にずれて配置されている。同様に表面１６に配置した複数の第２写真収納部３０と背中合わせに配置した裏面１７における複数の第１写真収納部２０とは上記のとおりそれぞれの位置が断面視上下方向にずれて配置されている。表面１６と裏面１７のそれぞれに有する複数の第１写真収納部２０と、複数の第２写真収納部３０にそれぞれインスタント写真１００あるいは他のインスタント写真２００を配置すると、上記のとおり、表面１６と裏面１７からその配置されたインスタント写真１００が突出しないというものである。
【００３９】
また、写真用台紙１５は、複数のリング孔１８を有し、多数の写真用台紙１５を重ねれば１冊のアルバムとすることができる。この場合、上記のとおり、表面１６と裏面１７からその配置されたインスタント写真１００や他のインスタント写真２００が突出しないので、多数の写真用台紙１５を重ねてもかさばることのないアルバム６０とすることができる。
【符号の説明】
【００４０】
１０  写真用台紙
１２  表面
１２ａ  第１シート
１２ｂ  第２シート
１３  裏面
１３ａ  第３シート
１３ｂ  第４シート
２０  第１写真収納部
２１  第１凹部
２２  第２凹部
２３  第３凹部
２９  写真係合部
３０  第２写真収納部
３１  第４凹部
３２  第５凹部
３３  第６凹部
３９  写真係合部
１００  インスタント写真
１１０  写真本体
１２０  上部
１３０  下部
２００  他のインスタント写真
２１０  写真本体
２２０  上部
２３０  下部
【図１】
0003220263.tif 000003
【図２】
0003220263.tif 000004
【図３】
0003220263.tif 000005
【図４】
0003220263.tif 000006
【図５】
0003220263.tif 000007
【図６】
0003220263.tif 000008
【図７】
0003220263.tif 000009
【図８】
0003220263.tif 000010
【図９】
0003220263.tif 000011
【図１０】
0003220263.tif 000012
【図１１】
0003220263.tif 000013
【図１２】
0003220263.tif 000014
【図１３】
0003220263.tif 000015
【図１４】
0003220263.tif 000016